【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
少なくとも１つのトランザクションカードに関するアカウント情報を記憶するように構成されたメモリと、
前記メモリに記憶されたトランザクションカードに対応する可読の識別子を生成するように構成された出力回路と、
前記メモリに記憶されたトランザクションカードを選択するように構成されたユーザ入力装置と、
前記メモリ、出力回路、およびユーザ入力装置に動作的に結合されたプロセッサと
を備え、
前記出力回路は、前記ユーザ入力装置から受け取られた入力に応答して可読の識別子を生成する
ことを特徴とするトランザクションカードシステム。
【請求項２】
前記プロセッサに動作的に結合されたセキュリティ入力装置をさらに備え、前記セキュリティ入力装置は、前記セキュリティ入力装置によって受け取られた入力に基づいて、前記メモリに記憶されたアカウント情報へのアクセスを制限する
ことを特徴とする請求項１に記載のシステム。
【請求項３】
前記セキュリティ入力装置は認証センサである
ことを特徴とする請求項２に記載のシステム。
【請求項４】
前記認証センサは生体認証センサである
ことを特徴とする請求項３に記載のシステム。
【請求項５】
第１のユーザは、前記認証センサによって受け取られる入力に基づいて、前記メモリに記憶された第１のアカウント情報のセットへのアクセス権を有し、第２のユーザは、前記認証センサによって受け取られる入力に基づいて、第２のアカウント情報のセットへのアクセス権を有する
ことを特徴とする請求項３に記載のシステム。
【請求項６】
前記認証センサは指紋センサである
ことを特徴とする請求項５に記載のシステム。
【請求項７】
前記出力回路によって生成される前記可読の識別子は磁気信号である
ことを特徴とする請求項１に記載のシステム。
【請求項８】
前記出力回路によって生成される前記可読の識別子はバーコードである
ことを特徴とする請求項１に記載のシステム。
【請求項９】
前記可読の識別子はセキュリティコードを含む
ことを特徴とする請求項１に記載のシステム。
【請求項１０】
前記セキュリティコードはトランザクションごとに異なる
ことを特徴とする請求項９に記載のシステム。
【請求項１１】
前記セキュリティコードはトランザクションごとに連続的に変わる
ことを特徴とする請求項９に記載のシステム。
【請求項１２】
前記セキュリティコードは、暗号化アルゴリズムに基づく
ことを特徴とする請求項９に記載のシステム。
【請求項１３】
前記プロセッサに動作的に結合されたステータス表示をさらに備え、前記ステータス表示は、使用不可の状態と使用可能な状態とで切り替わるように構成され、前記ステータス表示は、前記出力回路が可読の識別子を生成すると使用可能になる
ことを特徴とする請求項１に記載のシステム。
【請求項１４】
前記ステータス表示は、カードリーダによって読み取られると使用不可になる
ことを特徴とする請求項１３に記載のシステム。
【請求項１５】
前記ステータス表示は、前記出力回路が可読の識別子を生成した後に所定の時間が経過すると使用不可になる
ことを特徴とする請求項１３に記載のシステム。
【請求項１６】
前記ステータス表示は、前記ステータス表示が使用可能な時に点灯する照明である
ことを特徴とする請求項１３に記載のシステム。
【請求項１７】
前記ステータス表示は、前記ステータス表示が使用可能である時には第１の色を点灯し、前記ステータス表示が使用不可である時には第２の色を点灯する照明である
ことを特徴とする請求項１３に記載のシステム。
【請求項１８】
前記ステータス表示は、前記ステータス表示が使用可能である時には第１の可聴音を提供し、前記ステータス表示が使用不可の時には第２の可聴音を提供する
ことを特徴とする請求項１３に記載のシステム。
【請求項１９】
アカウント情報をダウンロードする、前記プロセッサに動作的に結合されたインタフェース
をさらに備えたことを特徴とする請求項１に記載のシステム。
【請求項２０】
前記プロセッサに動作的に結合されたディスプレイをさらに備え、前記ディスプレイは、前記ユーザ入力装置に応答して、前記メモリに記憶されたアカウント情報を表示する
ことを特徴とする請求項１に記載のシステム。
【請求項２１】
ドローンメモリ、ドローンインタフェース、および前記ドローンメモリに記憶されたアカウント情報に対応する可読の識別子を生成するように構成された出力回路を有するドローンカードと、
前記ドローンカードを収納するスロットを有するホストであって、
少なくとも１つのトランザクションカードについてのアカウント情報を記憶するように構成されたホストメモリと、
前記ドローンインタフェースと通信して前記ドローンカードにアカウント情報を転送するように構成されたホストインタフェースと、
生体認証センサと、
前記ホストメモリ、前記ホストインタフェース、および前記生体認証センサに動作的に接続されたプロセッサと
を有するホストとを備え、
前記ホストは、前記生体認証センサを介してユーザが確認されると前記ドローンメモリにアカウント情報を転送する
ことを特徴とするトランザクションカードシステム。
【請求項２２】
前記生体認証センサは指紋センサである
ことを特徴とする請求項２１に記載のシステム。
【請求項２３】
第１のユーザは、前記生体認証センサによって受け取られる入力に基づいて、前記メモリに記憶された第１のアカウント情報のセットへのアクセス権を有し、第２のユーザは、前記生体認証センサによって受け取られる入力に基づいて、第２のアカウント情報のセットへのアクセス権を有する
ことを特徴とする請求項２１に記載のシステム。
【請求項２４】
前記ドローンカードの前記出力回路によって生成される前記可読の識別子は磁気信号である
ことを特徴とする請求項２１に記載のシステム。
【請求項２５】
前記ドローンカードの前記出力回路によって生成される前記可読の識別子はバーコードである
ことを特徴とする請求項２１に記載のシステム。
【請求項２６】
前記ドローンカードによって生成される前記可読の識別子はセキュリティコードを含む
ことを特徴とする請求項２１に記載のシステム。
【請求項２７】
前記セキュリティコードはトランザクションごとに異なる
ことを特徴とする請求項２６に記載のシステム。
【請求項２８】
前記セキュリティコードはトランザクションごとに連続的に変わる
ことを特徴とする請求項２６に記載のシステム。
【請求項２９】
前記セキュリティコードは、暗号化アルゴリズムに基づく
ことを特徴とする請求項２６に記載のシステム。
【請求項３０】
前記ドローンカードはさらにステータス表示を備え、前記ステータス表示は、使用不可の状態と使用可能な状態とを切り替わるように構成され、前記ステータス表示は、前記ドローンカードの前記出力回路が可読の識別子を生成すると使用可能になる
ことを特徴とする請求項２１に記載のシステム。
【請求項３１】
前記ステータス表示は、出力回路が可読の識別子を生成した後に所定の時間が経過すると使用不可になる
ことを特徴とする請求項３０に記載のシステム。
【請求項３２】
前記ステータス表示は、前記ステータス表示が使用可能の時に点灯する照明である
ことを特徴とする請求項３０に記載のシステム。
【請求項３３】
前記ドローンインタフェースと前記ホストインタフェースは電気接点を使用して通信する
ことを特徴とする請求項２１に記載のシステム。
【請求項３４】
前記ドローンインタフェースと前記ホストインタフェースはワイヤレス通信を使用して通信する
ことを特徴とする請求項２１に記載のシステム。
【請求項３５】
前記ドローンインタフェースと前記ホストインタフェースはレーザ通信を使用して通信する
ことを特徴とする請求項２１に記載のシステム。
【請求項３６】
前記ドローンインタフェースと前記ホストインタフェースは赤外線通信を使用して通信する
ことを特徴とする請求項２１に記載のシステム。
【請求項３７】
前記ドローンカードはさらにディスプレイを備え、前記ディスプレイは、前記ホストの前記生体認証センサから受け取る生体情報に基づいて前記ユーザの写真を表示する
ことを特徴とする請求項２１に記載のシステム。
【請求項３８】
前記ホストは、電源として太陽電池を含む
ことを特徴とする請求項２１に記載のシステム。
【請求項３９】
前記太陽電池に動作的に接続された光増幅器
をさらに備えたことを特徴とする請求項３８に記載のシステム。
【請求項４０】
前記光増幅器は、前記太陽電池を覆う少なくとも１つのプリズムである
ことを特徴とする請求項３９に記載のシステム。
【請求項４１】
前記ホストは、前記ホストが損傷した場合に前記ホストメモリを消去する改ざん防止手段を含む
ことを特徴とする請求項２１に記載のシステム。
【請求項４２】
前記ドローンカードは、前記ドローンカードが損傷した場合に前記ドローンメモリを消去する改ざん防止手段を含む
ことを特徴とする請求項２１に記載のシステム。
【請求項４３】
前記ドローンカードは、標準的なクレジットカードとほぼ同じ厚みを有する
ことを特徴とする請求項２１に記載のシステム。
【請求項４４】
前記ホストは、標準的なクレジットカードの約３倍の厚みを有する
ことを特徴とする請求項４３に記載のシステム。
【請求項４５】
前記ホストと通信して前記ホストメモリにアカウント情報を記憶するインタフェースを有する登録装置
をさらに備えたことを特徴とする請求項２１に記載のシステム。
【請求項４６】
前記登録装置は、前記ホストのスロットに収納されるように構成されたカード様部分を有する
ことを特徴とする請求項４５に記載のシステム。
【請求項４７】
前記ホストは、前記ホストの使用を妨げる使用不可の状態と、前記ホストの使用が可能な使用可能状態とを切り替わるように構成され、前記システムはさらに、ユーザ入力装置を備える登録装置を備え、前記ホストは、前記登録装置の前記ユーザ入力装置から受け取る入力に応答して前記使用可能な状態に切り替わる
ことを特徴とする請求項４６に記載のシステム。
【請求項４８】
前記ホストメモリに記憶されたトランザクションカードのアカウント情報を選択するように構成されたユーザ入力装置
をさらに備えたことを特徴とする請求項２１に記載のシステム。
【請求項４９】
ドローンメモリ、ドローンインタフェース、および前記ドローンメモリに記憶されたアカウント情報に対応する可読の識別子を生成する手段を有するドローンカードと、
少なくとも１つのトランザクションカードに対応するアカウント情報を記憶する手段と、
生体データに基づいて前記アカウント情報へのアクセスを制限する手段と、
ユーザによって選択されたトランザクションカードのアカウント情報を前記ドローンメモリに転送する、前記ドローンインタフェースに動作的に接続された手段と
を備えたことを特徴とするトランザクションカードシステム。